(57)【要約】【課題】屈折特性と分光透過率を連続して測定する際に、メガネをひっくり返す必要がないレンズメータを提供すること。【解決手段】レンズメータは、本体ケース１の正面の上下の部分にそれぞれ突設された上筐体部３及び下筐体部４と、下筐体部４の上面に設けられたレンズ受５と、上筐体部３内に設けられてレンズ受５上に支持された眼鏡レンズＬに測定光束を投影する投影光学系１０と、下筐体部４内に設けられて眼鏡レンズＬを透過した測定光束をＣＣＤ１１に導く受光光学系１２と、下筐体部４に設けられた分光透過率計２０を備えている。しかも、下筐体部４はレンズ受５が設けられた固定筐体部４ａ及び固定筐体部４ａの下方に手前側に引き出し可能に配設された可動筐体部４ｂを備えている。また、分光透過率計２０は可動筐体部４ｂに設けられていると共に、分光透過率計２０の分光透過率測定のためのレンズ配設空間１９は可動筐体部４ｂを引き出したときに上方及び側方に開放するように可動筐体部に４ｂ設けられている。【選択図】  図２
2006064614.tif 000002
【特許請求の範囲】
【請求項１】
レンズメータ本体の正面の上下の部分にそれぞれ突設された上筐体部及び下筐体部と、前記下筐体部の上面に設けられたレンズ受と、前記上筐体部内に設けられて前記レンズ受上に支持された被検レンズに測定光束を投影する投影光学系と、前記下筐体部内に設けられて前記被検レンズを透過した測定光束を受光素子に導く受光光学系と、前記下筐体部に設けられた分光透過率計を備えるレンズメータであって、
前記下筐体部は前記レンズ受が設けられた固定筐体部及び該固定筐体部の下方に手前側に引き出し可能に配設された可動筐体部を備え、前記分光透過率計は前記可動筐体部に設けられていると共に、前記分光透過率計の分光透過率測定のためのレンズ配設空間は前記可動筐体部を引き出したときに上方及び側方に開放するように前記可動筐体部に設けられていることを特徴とするレンズメータ。
【請求項２】
前記レンズ配設空間は、前記可動筐体部を引き出したときに前記固定筐体部の正面に沿うように上方及び側方に開放させられていることを特徴とする請求項１に記載のレンズメータ。
【発明の詳細な説明】
【技術分野】
【０００１】
この発明は、分光透過率計を有するレンズメータに関するものである。
【背景技術】
【０００２】
従来からレンズメータには、レンズメータ本体の正面に設けられた上筐体部及び下筐体部と、前記下部筐体上に設けられたレンズ受と、前記上筐体部に設けられて前記レンズ受に支持される被検レンズに測定光束を投影する投影光学系と、被検レンズを透過した測定光束を受光素子に導く受光光学系を備えるものが知られている。
【０００３】
このレンズメータには、下筐体部に分光透過率計を内蔵すると共に、分光透過率測定のためのレンズ配設空間を下部筐体の下部に設けたものが知られている（例えば、特許文献１参照）。
【０００４】
このレンズ配設空間は、下筐体部の正面及び左右に開放していて、手前側から眼鏡レンズを挿入配設可能になっている。
【０００５】
ところで、このようなレンズメータでは、メガネの眼鏡レンズをレンズ受上に配設して屈折特性を測定する場合には、メガネのテンプルを下方に向けて眼鏡レンズの後側屈折面をレンズ受に当接させる。一方、眼鏡レンズの分光透過率を測定する場合には、メガネのテンプルを上方に向けて眼鏡レンズをレンズ配設空間内に配設するようにしていた。
【特許文献１】特開２０００−１３１１９１号公報
【発明の開示】
【発明が解決しようとする課題】
【０００６】
しかしながら、屈折特性の測定と分光透過率の測定ではテンプルの向きが上下で異なるため、屈折特性と分光透過率を連続して測定する場合には、レンズ受上からメガネを取り出して、この取り出したメガネをひっくり返し、次にメガネの眼鏡レンズをレンズ配設空間に手前側から挿入する必要があり、作業性が悪いものであった。
【０００７】
そこで、この発明は、屈折特性と分光透過率を連続して測定する際に、メガネをひっくり返す必要がないレンズメータを提供することを目的とするものである。
【課題を解決するための手段】
【０００８】
この目的を達成するため、この発明は、レンズメータ本体の正面の上下の部分にそれぞれ突設された上筐体部及び下筐体部と、前記下筐体部の上面に設けられたレンズ受と、前記上筐体部内に設けられて前記レンズ受上に支持された被検レンズに測定光束を投影する投影光学系と、前記下筐体部内に設けられて前記被検レンズを透過した測定光束を受光素子に導く受光光学系と、前記下筐体部に設けられた分光透過率計を備えるレンズメータであって、前記下筐体部は前記レンズ受が設けられた固定筐体部及び該固定筐体部の下方に手前側に引き出し可能に配設された可動筐体部を備え、前記分光透過率計は前記可動筐体部に設けられていると共に、前記分光透過率計の分光透過率測定のためのレンズ配設空間は前記可動筐体部を引き出したときに上方及び側方に開放するように前記可動筐体部に設けられているレンズメータとしたことを特徴とする。
【発明の効果】
【０００９】
この構成によれば、可動筐体部を手前側に引き出した状態では、レンズ配設空間が上方及び側方に開放しているので、レンズ受上から取り出したメガネの眼鏡レンズを手前側に略９０°回して下方に移動させるだけで、眼鏡レンズをレンズ配設空間に配設することができる。このように、屈折特性と分光透過率を連続して測定する際に、メガネをひっくり返す必要がないので、屈折特性と分光透過率の連続する測定作業性を向上させることができる。
【発明を実施するための最良の形態】
【００１０】
以下、この発明の実施の形態を図面に基づいて説明する。
[構成]
図１〜図３において、１はレンズメータの本体ケース、２は本体ケース１の正面上部に設けられた表示装置（表示手段）としての液晶表示器、３は本体ケース１の正面の上下方向の中間部に突設された上筐体部、４は本体ケース１の正面の下部に突設された下筐体部である。
【００１１】
この下筐体部４は、図１〜図３に示したように固定筐体部４ａと、この固定筐体部４ａの下方に図２，図３の如く手前側に引き出し可能に配設された可動筐体部４ｂを有する。そして、固定筐体部４ａ上には円錐筒状で且つ頂部が裁断されたレンズ受５が設けられている。このレンズ受５上にはメガネＭの被検レンズＬが載置される。
（屈折特性測定用の測定光学系）
また、上筐体部２内には、図４に示したように測定光束をレンズ受５上の被検レンズＬに投影する投影光学系１０が設けられている。さらに、下筐体部４の固定筐体部４ａ内には、エリアセンサである二次元のＣＣＤ（受光素子）１１と、被検レンズを透過する測定光束をＣＣＤ１１に導く受光光学系１２が設けられている。尚、投影光学系１０と受光光学系１２は被検レンズの屈折特性を測定する測定光学系Ｓを構成している。
【００１２】
この投影光学系１０は、光源であるＬＥＤ１３，ピンホール１４ａが設けられたピンホール板１４及びコリメータレンズ１５をこの順に有する。また、受光光学系１２は、ハルトマンプレート等のパターン板１６，スクリーン１７及び結像レンズ１８を有する。
（分光透過率計）
また、可動筐体部４ｂには、この可動筐体部４ｂを手前に引き出したときに固定筐体部４ａの正面４ａ１に沿う方向で上方及び側方に開放するレンズ配設空間１９が形成されている。しかも、可動筐体部４ｂは、レンズ配設空間１９を設けることにより、手前側の筐体部４ｂ１と、後側の筐体部４ｂ２に分けられている。この筐体部４ｂ１，４ｂ２には、互いに対向してレンズ配設空間１９を形成している縦壁１９ａ，１９ｂがそれぞれ設けられている。尚、縦壁１９ｂは、可動筐体部４ｂを手前に引き出したときに、固定筐体部４ａの正面４ａ１と連なるようになっている。
【００１３】
そして、図５に示したように筐体部４ｂ１内には分光透過率計２０の投影光学系２０ａが配設され、筐体部４ｂ２には分光透過率計２０の受光光学系２０ｂが配設されている。
【００１４】
投影光学系２０ａは、キセノンランプ２１，ハーフミラー２２，開口絞り２３，補正ガラス２４及びコンデンサレンズ２５をこの順に有する。このコンデンサレンズ２５は、縦壁１９ａに取り付けられて、レンズ配設空間１９に臨ませられている。
【００１５】
そして、キセノンランプ２１で発光する測定光束は、ハーフミラー２２，開口絞り２３，補正ガラス２４を介してコンデンサレンズ２５に導かれた後、コンデンサレンズ２５で平行光束にされてレンズ配設空間１９に向けて照射されるようになっている。
【００１６】
尚、キセノンランプ２１で発光する測定光束のうち一部はハーフミラー２２を透過する。そして、このハーフミラー２２を透過した光は、受光用ミラー２６を介してモニターセンサ２７により受光されるようになっている。
【００１７】
また、受光光学系２０ｂは、縦壁１９ｂに取り付けられ且つレンズ配設空間１９を介してコンデンサレンズ２５に対向する円形の窓ガラス２８を有する。更に、受光光学系２０ｂは、積分球２９，アジャストフィルタ３０，凹面鏡３１，回折格子３２，凹面鏡３３，フィルタ３４及び受光素子３５をこの順に有する。
【００１８】
尚、積分球２９には大径の入射開口２９ａ及び小径の出射開口２９ｂが設けられている。この入射開口２９ａには窓ガラス２８が対向させられ、出射開口２９ｂにはアジャストフィルタ３０が臨ませられている。しかも、積分球２９の内面には拡散塗料が塗布されている。
【００１９】
そして、コンデンサレンズ２５から投影される測定光束は、窓ガラス２８を介して入射開口２９ａから積分球２９内に入射するようになっている。しかも、この入射した測定光束は、積分球２９の内面で拡散反射を繰り返して、出射開口２９ｂから出射するようになっている。
【００２０】
また、出射開口２９ｂから出射した測定光束は、アジャストフィルタ３０を介して凹面鏡３１に入射し、この凹面鏡３１で平行光束にされて回折格子３２に入射するようになっている。この回折格子３２は、入射する測定光束を波長に応じて分光可能に異なる角度で反射するようになっている。そして、この回折格子３２で波長毎に分光反射させられた測定光束は、凹面鏡３３及びフィルタ３４を介して受光素子３５により受光される。
【００２１】
更に、縦壁１９ｂのレンズ配設空間１９側の面には、ゴム製で且つ窓ガラス２８と同心に設けられた環状のレンズ受３６が固着されている。また、筐体部４ｂ１には一端部をレンズ配設空間１９に突出させた支持アーム３７が縦壁１９ｃに対して進退動可能に保持され、この支持アーム３７の一端部にはゴム製で且つコンデンサレンズ２５及びレンズ受３６と同心に設けられた環状のレンズ押さえ３８が一体に設けられている。
【００２２】
この支持アーム３８は、図６に示したコイルスプリング３９により図５の縦壁１９ｃ側にバネ付勢されている。また、支持アーム３８の他端部には、操作ツマミ４０が設けられている。この操作ツマミ４０は、筐体部４ｂ１の上面の手前側端部に設けられている。
（制御回路）
上述した液晶表示器２は演算制御回路（制御手段）４１に接続されている。また、この演算制御回路４１には、ＣＣＤ１１，緑色ＬＥＤ１３，キセノンランプ２１，受光素子３５が接続されている。更に、演算制御回路４１には、可動筐体部４ｂを図２，図３の如く手前側に引き出したときにＯＮするスイッチ４２が接続されていると共に、固定筐体部４ａの正面に設けた測定スイッチ４３が接続されている。
[作用]
次に、このような構成のレンズメータの作用を説明する。
【００２３】
通常の眼鏡レンズＬの屈折測定に際しては、可動筐体部４ｂを図１の如く固定筐体部４ａの下部内に収納しておく。この位置ではスイッチ４２がＯＦＦしていて、演算制御回路４１は屈折特性測定モードとなっている。
【００２４】
この状態で、図示しない電源をＯＮさせると、演算制御回路４１は緑色ＬＥＤ１３を点灯制御して、レンズ受５上の眼鏡レンズＬの屈折特性の測定を開始する。
【００２５】
この緑色ＬＥＤ１３から出射する測定光束は、ピンホール１４ａを介してコリメータレンズ１５に導かれて、このコリメータレンズ１５で平行光束にされた後、レンズ受５上の眼鏡レンズＬに投影される。
【００２６】
そして、この眼鏡レンズＬを透過した測定光束はパターン板１６の図示しないパターンをスクリーン１７に投影する。このスクリーン１７に投影されたパターンは、結像レンズ１８を介してＣＣＤ１１にパターン像として結像される。このＣＣＤ１１からのパターン像の信号は演算制御回路４１に入力される。そして、演算制御回路４１は、パターン像の信号から眼鏡レンズＬの屈折特性を求め、この屈折特性を液晶表示器２に表示させる。
【００２７】
尚、この屈折特性に際しては、メガネＭの眼鏡レンズＬの後側屈折面をレンズ受５上に当接させているので、メガネＭのテンプルＴは下方に向けられている。
【００２８】
この状態から眼鏡レンズＬの分光透過率を測定する場合には、可動筐体部４ｂを図１の状態から図２，図３に示したように手前側に引き出す。この引き出した状態では、縦壁１９ｂが固定筐体部４ａの正面４ａ１と連なると共に、レンズ配設空間１９が固定筐体部４ａの正面４ａ１に沿う方向で上方及び側方に開放する状態となる。しかも、この状態ではスイッチ４２がＯＮさせられて、演算制御回路４１は分光透過率測定モードとなる。
【００２９】
この状態で、レンズ受５上のメガネＭを、後側屈折面が固定筐体部４ａの正面４ａ１に沿うように略９０°程度手前側に回転させて、下方に移動させることにより、レンズ配設空間１９内に配設する。この際、操作ツマミ４０を手前側に引いて、レンズ押さえ３８を縦壁１９ｂのレンズ受３６から離間させた状態で、眼鏡レンズＬをレンズ受３６とレンズ押さえ３８との間に配設する。尚、固定筐体部４ａの正面４ａ１は、後側に湾曲傾斜しているので、メガネＭの眼鏡レンズＬをより容易にレンズ配設空間１９及びレンズ受３６とレンズ押さえ３８との間に配設することができる。
【００３０】
次に、眼鏡レンズＬの後側屈折面をレンズ受３６に当接させると共に、レンズ押さえ３８を眼鏡レンズＬの前側屈折面にコイルスプリング３９のバネ力で当接させ、眼鏡レンズＬを固定する。
【００３１】
この後、測定スイッチ４３をＯＮさせると、演算制御回路４１はキセノンランプ２１を発光制御する。これにより、キセノンランプ２１で発光する測定光束は、ハーフミラー２２，開口絞り２３，補正ガラス２４を介してコンデンサレンズ２５に導かれた後、コンデンサレンズ２５で平行光束にされてレンズ配設空間１９の眼鏡レンズＬに向けて照射される。
【００３２】
この際、眼鏡レンズＬを透過した測定光束は、窓ガラス２８を介して入射開口２９ａから積分球２９内に入射し、積分球２９の内面で拡散反射を繰り返して、出射開口２９ｂから出射する。
【００３３】
そして、出射開口２９ｂから出射した測定光束は、アジャストフィルタ３０を介して凹面鏡３１に入射し、この凹面鏡３１で平行光束にされて回折格子３２に入射する。この回折格子３２は、入射する測定光束を波長に応じて分光可能に異なる角度で反射する。そして、この回折格子３２で波長毎に分光反射させられた測定光束は、凹面鏡３３及びフィルタ３４を介して受光素子３５により受光される。
【００３４】
この受光素子３５は測定信号を演算制御回路４１に入力する。そして、演算制御回路４１は、受光素子３５からの測定信号を受けて、眼鏡レンズＬの分光透過率のグラフを液晶表示器２に表示させる。
【００３５】
以上説明したように、この発明の実施の形態のレンズメータは、レンズメータ本体（本体ケース１）の正面の上下の部分にそれぞれ突設された上筐体部３及び下筐体部４と、前記下筐体部４の上面に設けられたレンズ受５と、前記上筐体部３内に設けられて前記レンズ受５上に支持された被検レンズ（眼鏡レンズＬ）に測定光束を投影する投影光学系１０と、前記下筐体部４内に設けられて前記被検レンズ（眼鏡レンズＬ）を透過した測定光束を受光素子（ＣＣＤ１１）に導く受光光学系１２と、前記下筐体部４に設けられた分光透過率計２０を備えている。しかも、前記下筐体部４は前記レンズ受５が設けられた固定筐体部４ａ及び該固定筐体部４ａの下方に手前側に引き出し可能に配設された可動筐体部４ｂを備えている。また、前記分光透過率計２０は前記可動筐体部４ｂに設けられていると共に、前記分光透過率計２０の分光透過率測定のためのレンズ配設空間１９は前記可動筐体部４ｂを引き出したときに上方及び側方に開放するように前記可動筐体部に４ｂ設けられている。
【００３６】
この構成によれば、可動筐体部４ｂを手前側に引き出した状態では、レンズ配設空間１９が上方及び側方に開放しているので、レンズ受５上から取り出したメガネＭの眼鏡レンズＬを手前側に略９０°回して下方に移動させるだけで、眼鏡レンズＬをレンズ配設空間１９に配設することができる。このように、屈折特性と分光透過率を連続して測定する際に、メガネをひっくり返す必要がないので、屈折特性と分光透過率の連続する測定作業性を向上させることができる。
【００３７】
また、この発明の実施の形態のレンズメータは、前記レンズ配設空間は、前記可動筐体部を引き出したときに前記固定筐体部の正面に沿うように上方及び側方に開放させられている。
【００３８】
この構成によれば、可動筐体部４ｂを手前側に引き出した状態では、レンズ配設空間１９が固定筐体部４ａの正面４ａ１に沿うように上方及び側方に開放しているので、レンズ受５上から取り出したメガネＭの眼鏡レンズＬを固定筐体部４ａの正面４ａ１に沿うように略９０°回して下方に移動させるだけで、眼鏡レンズＬをレンズ配設空間１９により簡易且つ迅速に配設することができる。
【図面の簡単な説明】
【００３９】
【図１】この発明に係るレンズメータの斜視図である。
【図２】図１のレンズメータの可動筐体部を引き出した状態の斜視図である。
【図３】図２を別の角度から見たときの斜視図である。
【図４】図１のレンズメータの屈折特性を測定する測定光学系の説明図である。
【図５】図１の可動筐体部内に設けられる分光透過率計の光学系の説明図である。
【図６】図５のレンズ押さえの説明図である。
【図７】図１〜図３のレンズメータの制御回路図である。
【符号の説明】
【００４０】
１…本体ケース（レンズメータ本体）
３…上筐体部
４…下筐体部
４ａ…固定筐体部
４ａ１…正面
４ｂ…可動筐体部
５…レンズ受
１０…投影光学系
１１…ＣＣＤ（受光素子）
１２…受光光学系
１９…レンズ配設空間
２０…分光透過率計
Ｌ…眼鏡レンズ（被検レンズ）
【図１】
2006064614.tif 000003
【図２】
2006064614.tif 000004
【図３】
2006064614.tif 000005
【図４】
2006064614.tif 000006
【図５】
2006064614.tif 000007
【図６】
2006064614.tif 000008
【図７】
2006064614.tif 000009